(57)【要約】【課題】超音波を用いてガスの流量を測定するガスメーターにおいて、ガスの乱流をより抑制できるガスメーターを提供する。【解決手段】筒体の計測管２２の内部に形成された計測流路を流れるガスの流量を超音波を利用して計測するガスメーターにおいて、計測流路は、ガスが流れる軸方向に対して垂直な断面が四角形状であり、計測管２２は、計測流路を形成する４つの内壁面を有する四角形状の筒体であり隣り合う２つの内壁面を一体化して軸方向に対して垂直な断面がＬ字型である第１計測管部材２２ａと第２計測管部材２２ｂを組み合わせて形成されている。そして計測管２２における少なくともガスの流入側となる端部には、計測管２２の開口部を囲むように環状に形成された環状部材２７が嵌め込まれている。【選択図】図５
2014006159.tif 000002
【特許請求の範囲】
【請求項１】
筒体の計測管を有して前記計測管の内部に形成された計測流路を流れるガスの流量を超音波を利用して計測するガスメーターにおいて、
前記計測流路は、前記ガスが流れる軸方向に対して垂直な断面が四角形状であり、
前記計測管は、前記計測流路を形成する４つの内壁面を有する四角形状の筒体であり、隣り合う２つの内壁面を一体化して前記軸方向に対して垂直な断面がＬ字型である第１計測管部材と第２計測管部材を組み合わせて形成されており、
前記計測管における少なくともガスの流入側となる端部には、前記計測管の開口部を囲むように環状に形成された環状部材が嵌め込まれている、
ガスメーター。
【請求項２】
請求項１に記載のガスメーターであって、
前記第１計測管部材と前記第２計測管部材における少なくともガスの流入側となる端部の外周面には、前記環状部材に設けられた係止部が係止される被係止部が設けられており、
前記環状部材には、前記軸方向に延びて前記被係止部に係止する前記係止部が設けられている、
ガスメーター。
【請求項３】
請求項１または２に記載のガスメーターであって、
前記環状部材の内周面には、前記第１計測管部材の外周面及び前記第２計測管部材の外周面に接するように、径方向内側に突出する複数の突出部が設けられている、
ガスメーター。
【発明の詳細な説明】
【技術分野】
【０００１】
本発明は、超音波式のガスメーターに関する。
【背景技術】
【０００２】
近年では、超音波を用いてガスの流量を計測するガスメーターが利用されている。
当該ガスメーターでは、断面積が所定面積に設定されたガス流路を有する筒状の計測管の内部にて超音波を送受信して、ガスの流速を測定し、断面積とガスの流速を用いてガスの流量を測定している。
前記計測管は、より正確な流量を測定するためにガスの流速を安定化させるための構造と、より製造を容易にするための構造と、を両立する構造を有している。
例えば特許文献１、特許文献２に記載された従来技術には、ガスが流れる軸方向に垂直な断面がＬ字型の２つの部材を組み合わせて四角形の筒状の計測管を構成したガスメーターが開示されている。
【先行技術文献】
【特許文献】
【０００３】
【特許文献１】特許第４７４１２０７号公報
【特許文献２】特開２００９−１８６４３２号公報
【発明の概要】
【発明が解決しようとする課題】
【０００４】
特許文献１、特許文献２に記載された従来技術では、ガスが流れる軸方向に垂直な断面がＬ字型の２つの部材を組み合わせて四角形の筒状の計測管を構成しているが、組み合わせ部に隙間ができてしまう場合がある。
例えばガスの流入側の端部の組み合わせ部に隙間ができると、この隙間によってガスの流れに乱れが生じ、ガスの流速の測定誤差が大きくなる可能性がある。
本発明は、このような点に鑑みて創案されたものであり、超音波を用いてガスの流量を測定するガスメーターにおいて、ガスの乱流をより抑制できるガスメーターを提供することを課題とする。
【課題を解決するための手段】
【０００５】
上記課題を解決するため、本発明に係るガスメーターは次の手段をとる。
まず、本発明の第１の発明は、筒体の計測管を有して前記計測管の内部に形成された計測流路を流れるガスの流量を超音波を利用して計測するガスメーターである。
前記計測流路は、前記ガスが流れる軸方向に対して垂直な断面が四角形状であり、前記計測管は、前記計測流路を形成する４つの内壁面を有する四角形状の筒体であり、隣り合う２つの内壁面を一体化して前記軸方向に対して垂直な断面がＬ字型である第１計測管部材と第２計測管部材を組み合わせて形成されている。
そして、前記計測管における少なくともガスの流入側となる端部には、前記計測管の開口部を囲むように環状に形成された環状部材が嵌め込まれている。
【０００６】
この第１の発明によれば、Ｌ字型の第１計測管部材とＬ字型の第２計測管部材とを組み合わせた計測管における少なくともガスの流入側となる端部に、計測管の開口部を囲む環状の環状部材を嵌め込むことで、ガスの流入側の端部の組み合わせ部に隙間ができることを防止する。これにより、計測管内のガスの乱流を抑制することができる。
【０００７】
次に、本発明の第２の発明は、上記第１の発明に係るガスメーターであって、前記第１計測管部材と前記第２計測管部材における少なくともガスの流入側となる端部の外周面には、前記環状部材に設けられた係止部が係止される被係止部が設けられており、前記環状部材には、前記軸方向に延びて前記被係止部に係止する前記係止部が設けられている。
【０００８】
この第２の発明によれば、計測管の端部に嵌め込む環状部材を、適切、且つ容易に計測管に固定することが可能であり、嵌め込んだ環状部材が軸方向に抜けることを防止することができる。
【０００９】
次に、本発明の第３の発明は、上記第１の発明または第２の発明に係るガスメーターであって、前記環状部材の内周面には、前記第１計測管部材の外周面及び前記第２計測管部材の外周面に接するように、径方向内側に突出する複数の突出部が設けられている。
【００１０】
仮に、計測管の外周面と一致するように環状部材の内周面を形成すると、実際に接触する個所がどこになるか個体毎にばらつき、押さえる位置が個体毎にばらばらになる可能性がある。しかし、この第３の発明によれば、複数の突出部を設けることで、計測管の端部の外周面における狙った位置を、中心に向けて押し付けることが可能である。
従って、環状部材によって押さえる位置が個体毎にばらばらにならず、全ての個体において、決められた位置（狙った位置）を、中心方向に押し付けることができる。
これにより、計測管における少なくともガスの流入側の端部に隙間ができることをより適切に防止することが可能であり、計測管内のガスの乱流をより抑制することができる。
【図面の簡単な説明】
【００１１】
【図１】本発明のガスメーター１の概略外観図であり、（Ａ）は正面図を示しており、（Ｂ）は上面図を示している。
【図２】ガスメーター１に組み付ける部品の概略形状と組み付け方向の例を示す図である。
【図３】（Ａ）は図１（Ｂ）におけるＡ−Ａ断面図であり、（Ｂ）は（Ａ）におけるＢ−Ｂ断面図である。
【図４】図３（Ａ）におけるＣ−Ｃ断面図である。
【図５】計測管２２の構造の例を説明する図であり、（Ａ）は計測管２２を構成する各部材を説明する斜視図であり、（Ｂ）は各部材が組み付けられた計測管２２の斜視図である。
【図６】環状部材２７の形状の例を説明する図であり、（Ａ）は正面図であり、（Ｂ）は側面図であり、（Ｃ）は平面図であり、（Ｄ）は斜視図である。
【図７】第２計測管部材２２ｂの形状の例を説明する図であり、（Ａ）は正面図（内壁側）であり、（Ｂ）は平面図（内壁側）であり、（Ｃ）は平面図（外壁側）であり、（Ｄ）は背面図（外壁側）であり、（Ｅ）は斜視図である。
【図８】従来の計測管１２２の構造を説明する図であり、（Ａ）は計測管１２２を構成する各部材を説明する斜視図であり、（Ｂ）は各部材が組み付けられた計測管１２２の斜視図である。
【図９】本実施の形態の計測管２２と、従来の計測管１２２と、の特性の違いを説明するグラフである。
【図１０】本実施の形態の計測管２２と、従来の計測管１２２と、の特性の違いを説明するグラフである。
【発明を実施するための形態】
【００１２】
以下に本発明を実施するための形態を図面を用いて説明する。図１〜図８において、Ｘ軸とＹ軸とＺ軸は互いに直交しており、Ｚ軸はガスメーター１における上下方向を示しており、Ｘ軸はガスメーター１における左右方向を示しており、Ｙ軸はガスメーター１における前後方向を示している。
【００１３】
●［ガスメーター１の外観（図１（Ａ）及び（Ｂ））］
図１（Ａ）及び（Ｂ）を用いて、本実施の形態のガスメーター１の外観を説明する。図１（Ａ）は正面図を示しており、図１（Ｂ）は上面図（平面図）を示している。
ガスメーター１の正面には計測したガスの流量の積算値等を表示する表示手段４１（ＬＣＤ等）、異常検出によって遮断弁３４にてガスを遮断した状態からの復帰を行う復帰ボタン４２等が設けられている。
本実施の形態にて説明するガスメーター１は、略矩形の箱状であり、流入口１１と流出口１２とが同一方向に配置された筒状の略Ｕ字型の流路を備えた流路部材１０が一体成形品で形成されており、当該流路部材１０は、ガスメーター１の外観において、上面と右側面と左側面を構成している。
なお、ガスメーター１内において、流入したガスが流れる流路は、略Ｕ字型に形成されているが（図３（Ａ）参照）、筒状の略Ｕ字型を一体成形するには、Ｕ字型の底辺部において筒の内側の型の挿入及び抜き取りが困難である。そこで、この底辺部を開口した形状で成形し、この開口部から計測管２２を組み付け、開口部に蓋をするように底面パネル部材２１を組み付ける（図２、図３（Ａ）参照）。これにより、筒状の略Ｕ字型の流路を成形することが容易となる。
なお、本実施の形態のガスメーター１では、流路部材１０の材質として、一体成形に適しているとともに熱膨張係数が比較的小さいアルミを使用したアルミダイカストとしたが、これに限定されるものではない。
【００１４】
●［ガスメーター１の構造（図２〜図４）］
次に、図２〜図４を用いてガスメーター１の構造について説明する。
図２はガスメーター１に組み付ける部品の概略形状と組み付け方向の例を示している。また、図３（Ａ）は図１（Ｂ）におけるＡ−Ａ断面図（電源パック３２等は省略）の例を示しており、図３（Ｂ）は図３（Ａ）におけるＢ−Ｂ断面図の例を示しており、図４は図３（Ａ）におけるＣ−Ｃ断面図の例を示している。
【００１５】
次に図２を用いて、ガスメーター１に各部品を組み付ける手順の例を説明する。
まず、流入口１１と流出口１２が同一方向に配置された一体成形品の流路部材１０を、流入口１１及び流出口１２が上面となるようにした場合、流路部材１０の底面に設けた開口部に、計測管２２を下方から組み付ける。そして、開口部に底面パネル部材２１を下方から組み付け、開口部を密閉する（蓋をする）。
また、流路部材１０に、一対の超音波伝播手段２３Ａ、２３Ｂ（超音波送受信センサ）を組み付ける。
計測管２２は、流路内に配置され、流路内に流れるガスが通過する断面が略矩形（長方形状）に形成された導通路２５（計測流路に相当）を有している。そして、一対の超音波伝播手段２３Ａ、２３Ｂは、導通路２５内における上流側と下流側の所定個所に配置され、この２点間において、上流側から超音波を発信して下流側で受信して伝播時間を計測し、下流側から超音波を発信して上流側で受信して伝播時間を計測する。
そして、流体の流れ方向に対して超音波伝播手段２３Ａ、２３Ｂが設けられている傾斜角度を「θ」、音速を「Ｃ」、ガスの流速を「Ｕ」、超音波伝播手段２３Ａと２３Ｂの間隔（距離）を「Ｌ」、超音波の伝播時間を「Ｔ１」、「Ｔ２」とした場合、以下の式よりガスの流速を求めることができる。
Ｕ＝（Ｌ／２ｃｏｓθ）（（１／Ｔ１）−（１／Ｔ２））    （式１）
そして、この算出した流速Ｕに導通路２５の断面Ｓ（図５（Ｂ）参照）と流量係数とを積算して流量を算出している。ここで流量係数とは、流体の流量を補正する係数である。
【００１６】
次に、流路部材１０の背面側から、遮断弁３４を組み付ける。なお遮断弁３４は、異常を検出した場合に流路を閉じて（遮断して）、流出口１２にガスが流れないようにする。
次に、流路部材１０の正面側から、流路部材１０の中央近傍に設けられた空間部Ｋに電源パック３２を組み付ける。
そして、正面側に圧力センサ３１を組み付ける。なお圧力センサ３１は、種々の異常を検出するための条件等で利用するガスの圧力を検出するものである。
次に、流路部材１０の正面側から制御基板３３を組み付ける。制御基板３３は、ＣＰＵ等を備えており、当該ＣＰＵは、超音波伝播手段２３Ａ、２３Ｂを制御して超音波伝播手段２３Ａ、２３Ｂからの検出信号に基づいて導通路２５内に流れるガスの流量を算出する。また、前記ＣＰＵは、圧力センサ３１からの検出信号に基づいて圧力を検出し、また遮断弁３４の開閉の制御も行う。
そして、流路部材１０の背面側から背面パネル部材５０を組み付け、流路部材１０の正面側から正面パネル部材４０を組み付ける。
以上の組み付けにより、略箱型のガスメーター１が完成する。
【００１７】
●［計測管２２の構造（図５）］
次に、図５を参照して計測管２２の構造を説明する。計測管２２は、ガスが流れる軸方向に対して垂直な断面が「Ｌ」字型となる２つの第１計測管部材２２ａと第２計測管部材２２ｂにて、断面Ｓが四角形となる空洞部を有する筒状となるように組み合わされて接合されている。
なお、この接合の際、内部に５枚の整流板２４が収容される。第１計測管部材２２ａ及び第２計測管部材２２ｂの各内壁における各整流板２４との当接部位には、各整流板２４を挟み込むための溝２２ｚがそれぞれ設けられており、前記溝２２ｚにて整流板２４が位置決めされて支持されている。
また、開口部２２ｃ（超音波伝播手段の取り付け位置に相当）には、内壁側にその内壁と略同一面を形成するように薄板状の乱流抑制部材２８が設けられている。
また、第１計測管部材２２ａ及び第２計測管部材２２ｂにおいて、四角形状の筒状に接合した際の当接部位には、凸部２２ｘあるいは凹部２２ｙが各々に設けられており、前記凸部２２ｘ及び凹部２２ｙにて、第１計測管部材２２ａと第２計測管部材２２ｂとが所定の位置にて接合される。
【００１８】
そして第１計測管部材２２ａと第２計測管部材２２ｂを接合した軸方向の一方端と他方端の開口部には、当該開口部を囲むように環状に形成された環状部材２７が嵌め込まれ、第１計測管部材２２ａと第２計測管部材２２ｂの接合状態が保持される。
環状部材２７は、軸方向に延びる係止部２７ｋを有しており、当該係止部２７ｋは、第１計測管部材２２ａに形成された被係止部２２ｋ及び第２計測管部材２２ｂに設けられた被係止部２２ｋに係止される。
本実施の形態では、第１計測管部材２２ａ及び第２計測管部材２２ｂを「Ｌ」字型に形成しているため、抜き勾配は必要でない。このため、断面Ｓの各角を直角とすることが可能であり、例えば樹脂を用いて第１計測管部材２２ａ及び第２計測管部材２２ｂを形成しても、断面Ｓの面積の精度を充分確保することができる。
【００１９】
また、組み付けられた計測管２２（図５（Ｂ）参照）は、隣り合うシール支持部２２ｐの間にシール部材（図示省略）が取り付けられて図３（Ａ）に示すようにガスメーター１内に組み付けられる。
図５（Ｂ）に示す計測管２２において、一方端の側のシール支持部２２ｐから他方端の側のシール支持部２２ｐまでの中間領域２２ｓは、図３（Ａ）に示すように周囲をガスメーター１の筐体に囲まれている。しかし、計測管２２において、一方端の側と他方端の側の端部領域２２ｔは、図３（Ａ）に示すようにガスの流路内に突出するように配置される。
ここで、図８に、従来の計測管１２２の例を示す。従来の計測管１２２では、環状部材２７が用いられておらず、計測管１２２の両端部は、第１計測管部材１２２ａと第２計測管部材１２２ｂを接合したのみである。従って、計測管１２２の両端部の接合部Ｒ１〜Ｒ４に隙間ができる場合がある。特に、ガスの流入側の端部の接合部に隙間ができると、当該隙間にてガスの流れが乱れ、計測管１２２の内部に流れたガスに乱流が発生する場合があり、当該乱流によって、ガスの流量の算出の誤差が大きくなる場合がある。
これに対して本実施の形態の計測管２２では、計測管２２の両端部に環状部材２７を嵌め込むことで、計測管２２の両端部における第１計測管部材２２ａと第２計測管部材２２ｂとの接合部に隙間ができることを防止している。これにより、ガスの流量の算出の誤差をより抑制することができる。
また、環状部材２７は、計測管２２の端部から軸方向に嵌め込まれて係止部２７ｋにて保持されているが、接着されているわけではないので、仮に取り外しの要求が発生した場合、環状部材２７を計測管２２から容易に取り外すことができる。
【００２０】
●［環状部材２７及び第２計測管部材２２ｂの詳細形状（図６、図７）］
次に図６を用いて、環状部材２７の詳細形状について説明する。
環状部材２７について、図６（Ａ）は正面図を示しており、図６（Ｂ）は側面図を示しており、図６（Ｃ）は平面図を示しており、図６（Ｄ）は斜視図を示している。
環状部材２７の各寸法Ｌ１、Ｌ２、Ｌ３（図６（Ａ）、（Ｃ）参照）は、図８（Ｂ）に示す従来の計測管１２２におけるフランジ部１２７の各寸法とほぼ同等となる寸法に設定されている。また、環状部材２７は、係止部２７ｋに弾性力を持たせるために、弾性体である樹脂にて成形されている。
また、環状部材２７の色を、第１計測管部材２２ａの色及び第２計測管部材２２ｂの色とは異なる色に設定しておくと、図５（Ｂ）のように組み付けた際の組み付け状態を瞬時に把握することが可能であり、検査が容易であるので、より好ましい。
【００２１】
また環状部材２７の内周面には、第１計測管部材２２ａの外周面及び第２計測管部材２２ｂの外周面の所定個所（狙った位置）に接するように、径方向内側に突出する複数の突出部２７ｔが設けられている。なお、複数の突出部２７ｔは、四角形の外周面の各面に１個以上設けられている。この突出部２７ｔにて、第１計測管部材２２ａと第２計測管部材２２ｂの接合部に隙間ができないように、中心に向かって押さえ込むべき位置を狙って、適切に押さえ込むことができる。
また突出部２７ｔは、環状部材２７を軸方向に嵌め込んだ際、第１計測管部材２２ａ及び第２計測管部材２２ｂに形成された凸部２２ｎに突き当たる位置決め用のストッパも兼用している。
また環状部材２７には、軸方向に延びる係止部２７ｋが形成されており、突出部２７ｔが凸部２２ｎに突き当たった位置にて、係止部２７ｋは、第１計測管部材２２ａ及び第２計測管部材２２ｂに設けられた被係止部２２ｋに係止され、軸方向に抜けないように保持される。
【００２２】
次に図７を用いて、第２計測管部材２２ｂの詳細形状について説明する。なお、第１計測管部材２２ａの形状も同様であるので、第１計測管部材２２ａの詳細形状については説明を省略する。
第２計測管部材２２ｂについて、図７（Ａ）は正面図（側面内壁側）を示しており、図７（Ｂ）は平面図（底面内壁側）を示しており、図７（Ｃ）は平面図（底面外壁側）を示しており、図７（Ｄ）は背面図（側面外壁側）を示しており、図７（Ｅ）は斜視図を示している。
第２計測管部材２２ｂは、筒体である計測管２２の内部の計測流路を形成する４つの内壁面における一方の側面を形成する側面部材２２ｂ２と一方の底面を形成する底面部材２２ｂ１とが一体化されて形成されている。従って、隣り合う２つの内壁面が一体化されて形成されている。なお、計測流路は、ガスが流れる軸方向に対して垂直な断面が四角形状（長方形状）である。また、第２計測管部材２２ｂは、軸方向に対して垂直な断面はＬ字型であり、底面部材２２ｂ１に対して側面部材２２ｂ２が垂直になるように形成されている。
【００２３】
図７（Ａ）に示すように、側面部材２２ｂ２には超音波の送受信を行うための開口部２２ｃが形成されており、側面部材２２ｂ２の内壁側には、整流板２４を位置決めする溝２２ｚが形成されている。
また側面部材２２ｂ２において第１計測管部材２２ａと接合される位置には凸部２２ｘが設けられ、底面部材２２ｂ１において第１計測管部材２２ａと接合される位置には凹部２２ｙが設けられている。図示省略するが、第２計測管部材２２ａの凸部２２ｘに対向する第１計測管部材２２ａの位置には凹部２２ｙが設けられ、第２計測管部材２２ｂの凹部２２ｙに対向する第１計測管部材２２ａの位置には凸部２２ｘが設けられている。
また底面部材２２ｂ１の外壁側には、軸方向の端部から所定距離Ｄ１の位置に環状部材２７の軸方向へのストッパとなる凸部２２ｎが形成されており、環状部材２７の係止部２７ｋに係止される被係止部２２ｋが形成されている。
また底面部材２２ｂ１の外壁側には、シール部材を保持するための凸状のシール支持部２２ｐが形成されている。
【００２４】
●［本実施の形態の計測管２２の特性と、従来の計測管１２２の特性（図９、図１０）］
本実施の形態にて説明したガスメーター１は、ガス流量の計測値を要求精度に収めるために、個々のガスメーターにて、基準流量のガスを用いて計測結果を検査し、要求精度を満足するように流量係数を求め、求めた流量係数を制御基板３３上に設けられた記憶手段に記憶している。
個々のガスメーターは、計測管２２の個々の誤差、超音波伝播手段２３Ａ、２３Ｂの個々の誤差、超音波伝播手段２３Ａ、２３Ｂの検出信号を取り込んで計測値を算出する制御基板３３の電子回路の誤差等により、理想状態に対して、計測値が大きくなる方向、または小さくなる方向にずれている。そこで、従来より、個々のガスメーターに固有の流量係数を求めて記憶することで、このずれを補正している。
流量係数のばらつきが小さいということは、ガスの乱流がより抑制されているということであり、大量生産した場合に性能がまとまるので、より作り易いことになる。
【００２５】
図９は、横軸がガスの流量［Ｌ／ｈ］を示し、縦軸が流量係数を示すグラフである。
図９に示すグラフにおいて、流量係数の幅が小さいほうが、ばらつきが少なく、ガスの乱流がより抑制されている、といえる。
図９のグラフでは、Ａ−１〜Ａ−６が本実施の形態の計測管２２の６個のサンプルの結果であり、Ｂ−１〜Ｂ−３が従来の計測管１２２の３個のサンプルの結果である。
また図１０（Ａ）に示すグラフは、図９に示したグラフの各サンプル（Ａ−１〜Ａ−６、Ｂ−１〜Ｂ−３）のそれぞれについて、流量係数の変動幅を求めたグラフであり、横軸はサンプル番号を示し、縦軸は流量係数の変動幅を示すグラフである。
図１０（Ａ）において、グラフＡ−２１は本実施の形態の計測管２２のサンプルＡ−１〜Ａ−６の変動幅を順に結んだグラフであり、グラフＡａｖはグラフＡ−２１の平均値の位置を示している。またグラフＢ−２１は従来の計測管１２２のサンプルＢ−１〜Ｂ−３の変動幅を順に結んだグラフであり、グラフＢａｖはグラフＢ−２１の平均値の位置を示している。
図９のグラフ及び図１０（Ａ）のグラフから読み取れるように、流量係数の変動幅については、本実施の形態の計測管２２のサンプルＡ−１〜Ａ−６の全てが、従来の計測管１２２のサンプルＢ−１〜Ｂ−３の変動幅よりも小さくなっており、ガスの乱流がより抑制されていることが確認された。
【００２６】
また図１０（Ｂ）に示すグラフでは、本実施の形態の計測管２２と、従来の計測管１２２のサンプル数を増やして標準偏差を求めたグラフであり、横軸はガスの流量［Ｌ／ｈ］を示し、縦軸は流量係数標準偏差を示すグラフである。
図１０（Ｂ）において、グラフＡ−１１は本実施の形態の計測管２２の流量係数標準偏差を示しており、グラフＢ−１１は従来の計測管１２２の流量係数標準偏差を示している。
図１０（Ｂ）に示すグラフからも明らかなように、本実施の形態の計測管２２のほうが、測定した全てのガス流量に対して、流量係数標準偏差が小さく、ばらつきが小さいことが確認された。従って、本実施の形態の計測管２２のほうが、従来の計測管１２２よりもガスの乱流がより抑制されていることが確認された。
【００２７】
また、本実施の形態の計測管２２は、従来の計測管１２２と比較して、新品の組み付け時や再利用時等における取り扱い易さがより向上されている。従来の計測管１２２は、図８（Ａ）及び（Ｂ）に示すように、第１計測管部材１２２ａと第２計測管部材１２２ｂとを組み合わせて接合しているが、本実施の形態の環状部材２７に相当する部材がないので、作業者が計測管１２２を組み立てた後や計測管１２２を取り出した後、作業者の意に反してばらばらに分解されてしまう可能性がある。
これに対して本実施の形態の計測管２２では、環状部材２７にて開口部の周囲を囲んでいるので、作業者が計測管２２を組み立てた後や計測管２２を取り出した後、接合された第１計測管部材２２ａと第２計測管部材２２ｂとがばらばらにならないように環状部材２７にて保持することができる。また、分解を所望する場合は、環状部材２７の係止部を開放して環状部材２７を取り外すことで、従来の計測管１２２と同様、容易に分解することができる。
【００２８】
本発明のガスメーター１は、本実施の形態で説明した外観、構成、構造、形状等に限定されず、本発明の要旨を変更しない範囲で種々の変更、追加、削除が可能であり、例えば、整流板２４の数は５枚に限定されない。
また、本実施の形態の説明では、計測管２２の両端部のそれぞれに環状部材２７を嵌め込む例を説明したが、少なくともガスが流入する側の端部に環状部材２７を嵌め込むようにすれば良い。
また、本実施の形態の説明に用いたグラフ等の特性は一例であり、この特性に限定されるものではない。
また、本実施の形態の説明では、流入口１１と流出口１２とを上向きにした略Ｕ字型の流路を備えたガスメーター１を説明したが、流入口１１と流出口１２とを下向きとした逆Ｕ字型のガスメーターを構成することもできる。
また、本実施の形態の説明に用いた数値は一例であり、この数値に限定されるものではない。
【符号の説明】
【００２９】
１        ガスメーター
１０      流路部材（一体成形品）
１１      流入口
１２      流出口
２１      底面パネル部材
２２      計測管
２２ａ    第１計測管部材
２２ｂ    第２計測管部材
２２ｋ    被係止部
２３Ａ、２３Ｂ  超音波伝播手段
２４      整流板
２５      導通路（計測流路）
２７      環状部材
２７ｋ    係止部
２７ｔ    突出部
２８      乱流抑制部材
３１      圧力センサ
３２      電源パック
３３      制御基板（制御手段）
３４      遮断弁
４０      正面パネル部材
４１      表示手段
４２      復帰ボタン
５０      背面パネル部材
Ｋ        空間部
【図１】
2014006159.tif 000003
【図２】
2014006159.tif 000004
【図３】
2014006159.tif 000005
【図４】
2014006159.tif 000006
【図５】
2014006159.tif 000007
【図６】
2014006159.tif 000008
【図７】
2014006159.tif 000009
【図８】
2014006159.tif 000010
【図９】
2014006159.tif 000011
【図１０】
2014006159.tif 000012